(57)【要約】【課題】  面倒なページ番号入力を行わず、単純操作のリンクボタンクリックのみで、離れたページへのアクセスが行えるようにする。【解決手段】  プロセッサ１１により、操作・表示パネル２５の画面に、ページ内で選択されるユーザの登録番号とユーザ名を１ページに１０件まで表示し、また、現在ページ近傍の所定ページ数のページ番号をページリンクボタン５０として表示し、上記操作・表示パネル２５の操作入力によりページリンクボタン５０が選択されると、選択されたページリンクボタン５０のページ番号を新たな表示ページ番号として設定して、情報をページ単位で表示する制御を行う。【選択図】        図２
2008009756.tif 000002
【特許請求の範囲】
【請求項１】
情報入力手段と、
上記情報入力手段からの入力により選択される情報を表示する表示手段と、
上記表示手段に上記情報をページ単位で表示する制御を行う表示制御手段とを備え、
上記表示制御手段は、上記表示手段の画面に、ページ内で選択される複数の情報を表示するとともに、現在ページ近傍の所定ページ数のページ番号をページリンクボタンとして表示し、上記情報入力手段からの入力によりページリンクボタンが選択されると、選択されたページリンクボタンのページ番号を新たな表示ページ番号として設定して、上記情報をページ単位で表示する制御を行うことを特徴とする情報入出力装置。
【請求項２】
上記表示制御手段は、さらに、上記表示手段の画面に、現在のページから前後のページを指定するボタンを表示し、上記情報入力手段からの入力により上記前後のページを指定するボタンが選択されると、現在の表示ページ番号から１ページ進め又は戻したページ番号を新たな表示ページ番号として設定して、上記情報をページ単位で表示する制御を行うことを特徴とすることを特徴とする請求項１記載の情報入出力装置。
【請求項３】
上記表示制御手段は、さらに、上記表示手段の画面に、上記ページリンクボタンにより選択されるページ範囲をジャンプするジャンプボタンを表示し、上記情報入力手段からの入力によりジャンプボタンが選択されると、上記ページ範囲をジャンプしたページ番号を新たな表示ページ番号として設定して、上記情報をページ単位で表示する制御を行うことを特徴とする請求項１又は請求項２の何れか１項記載の情報入出力装置。
【発明の詳細な説明】
【技術分野】
【０００１】
本発明は、複数の情報をページ単位で表示して選択する情報入出力装置に関する。
【背景技術】
【０００２】
従来から、複数の情報をページ単位で表示して選択する情報入出力装置として、例えば、特許文献１等において開示されているように、おおまかにページを表示する機能、現在のページから前後に移動する機能、ページ番号指定による表示機能などを備えているものが知られている。
【０００３】
また、Webブラウザを使用した検索サイト等で、検索結果を表示する手段として、一定区間のページ番号を表示する機能や現在のページから前後に移動する機能を備えているものが広く知られている。
【０００４】
【特許文献１】特開平３−２６３２１７号公報
【発明の開示】
【発明が解決しようとする課題】
【０００５】
しかしながら、上述した特許文献１に記載された従来の情報入出力装置では、おおまかなページ表示機能では、ページ指定表示がし辛く、ページ番号指定による表示機能では、番号を入力しないといけないという不便さがあった。また、Webブラウザを使用した検索サイト等では、複数ページの際、離れたページを表示するためには、何回もキー操作を行わなければならず、非常に面倒であった。
【０００６】
そこで、本発明の目的は、上述の如き従来の問題点に鑑み、面倒なページ番号入力を行わず、単純操作のリンクボタンのクリックのみで、離れたページへのアクセスが行えるようにすることにある。
【０００７】
本発明の更に他の目的、本発明によって得られる具体的な利点は、以下に説明される実施の形態の説明から一層明らかにされる。
【課題を解決するための手段】
【０００８】
本発明に係る情報入出力装置は、情報入力手段と、上記情報入力手段からの入力により選択される情報を表示する表示手段と、上記表示手段に上記情報をページ単位で表示する制御を行う表示制御手段とを備え、上記表示制御手段は、上記表示手段の画面に、ページ内で選択される複数の情報を表示するとともに、現在ページ近傍の所定ページ数のページ番号をページリンクボタンとして表示し、上記情報入力手段からの入力によりページリンクボタンが選択されると、選択されたページリンクボタンのページ番号を新たな表示ページ番号として設定して、上記情報をページ単位で表示する制御を行うことを特徴とする。
【０００９】
本発明に係る情報入出力装置において、上記表示制御手段は、さらに、上記表示手段の画面に、現在のページから前後のページを指定するボタンを表示し、上記情報入力手段からの入力により上記前後のページを指定するボタンが選択されると、現在の表示ページ番号から１ページ進め又は戻したページ番号を新たな表示ページ番号として設定して、上記情報をページ単位で表示する制御を行う。
【００１０】
また、本発明に係る情報入出力装置において、上記表示制御手段は、さらに、上記表示手段の画面に、上記ページリンクボタンにより選択されるページ範囲をジャンプするジャンプボタンを表示し、上記情報入力手段からの入力によりジャンプボタンが選択されると、上記ページ範囲をジャンプしたページ番号を新たな表示ページ番号として設定して、上記情報をページ単位で表示する制御を行う。
【発明の効果】
【００１１】
本発明では、情報入力手段からの入力により選択される情報を表示する表示手段の画面に、ページ内で選択される複数の情報を表示するとともに、現在ページ近傍の所定ページ数のページ番号をページリンクボタンとして表示し、情報入力手段からの入力によりページリンクボタンが選択されると、選択されたページリンクボタンのページ番号を新たな表示ページ番号として設定して、上記情報をページ単位で表示する制御を行うことにより、面倒なページ番号入力を行わずにページリンクボタンの選択操作のみで、離れたページへのアクセスが行え、操作性を向上させることができる。
【００１２】
また、本発明では、上記表示手段の画面に、現在のページから前後のページを指定するボタンを表示し、上記情報入力手段からの入力により上記前後のページを指定するボタンが選択されると、現在の表示ページ番号から１ページ進め又は戻したページ番号を新たな表示ページ番号として設定して、上記情報をページ単位で表示する制御を行うことにより、単純な操作でページ送りを行うことができ、操作性を向上させることができる。
【００１３】
さらに、上記表示手段の画面に、上記ページリンクボタンにより選択されるページ範囲をジャンプするジャンプボタンを表示し、上記情報入力手段からの入力によりジャンプボタンが選択されると、上記ページ範囲をジャンプしたページ番号を新たな表示ページ番号として設定して、上記情報をページ単位で表示する制御を行うことにより、単純な操作で離れたページへのアクセスが行え、操作性を向上させることができる。
【発明を実施するための最良の形態】
【００１４】
以下、本発明の実施の形態について、図面を参照して詳細に説明する。なお、本発明は以下の例に限定されるものではなく、本発明の要旨を逸脱しない範囲で、任意に変更可能であることは言うまでもない。
【００１５】
本発明は、例えば図１に示すような構成の画像形成装置１０に適用される。
【００１６】
上記画像形成装置１０は、コピー、プリント、スキャン、ファクシミリ送信及びファクシミリ受信機能を有する所謂複合機であって、プロセッサ１１に、チップセット１２を介してメモリ１３、ハードディスク装置１４、拡張カード１５〜１８、ネットワークインタフェースカード（ＮＩＣ）１９及び通信モデム２０が結合され、上記拡張カード１５〜１８にそれぞれ操作・表示パネル２５、搬送装置等２６、プリントエンジン２７及びスキャンエンジン２８が結合されてなる。
【００１７】
例えば、上記拡張カード１５〜１７はＰＣＩカードであり、拡張カード１８はＰＣＩバス用ＳＣＳＩインタフェースカードである。また、上記ＮＩＣ１９及び通信モデム２０はそれぞれ、外部の通信モデム３０及び公衆回線３１に結合されている。上記搬送装置等２６は、用紙搬送装置、定着装置及びフィニッシャ等を含んでいる。
【００１８】
上記ハードディスク装置１４には、マルチスレッド機能を備えた汎用オペレーティングシステム（ＯＳ）と、このＯＳ上で動作する統合アプリケーションと、ＯＳの下で動作するデバイスドライバとを備えている。
【００１９】
この画像形成装置１０において、上記プロセッサ１１は、この画像形成装置１０に登録されたユーザを検索するためアドレスブックの処理機能を有し、情報を入力するための情報入力手段及び入力された情報を表示するための表示手段として機能する上記操作・表示パネル２５に、ユーザ検索のための情報をページ単位で表示して、入力を受け付ける制御を行う。
【００２０】
例えば図２乃至図９に示すように、操作・表示パネル２５の画面上のアドレスブックボタン４０がクリックされることにより、登録されたユーザを検索するためアドレスブックの処理機能が起動され、ユーザの登録番号とユーザ名を１ページに所定の表示件数（ここでは１０件）まで表示し、また、所定のページ数（ここでは１０ページ）分のリンク先を示すページリンクボタン５０として現在ページ近傍の所定ページ数のページ番号を表示する。
【００２１】
ここで、ページ番号が１０以下の場合、例えば、登録件数が９件で全ページ数が１の場合、図２に示すように、ユーザの登録番号とユーザ名が９件分（登録番号１〜９）表示され、また、現在の表示ページ番号［１］が表示される。
【００２２】
また、例えば、登録件数が１２件で全ページ数が２の場合、現在の表示ページ番号が［１］すなわち第１ページの表示状態では、図３に示すように、ユーザの登録番号とユーザ名が１０件分（登録番号１〜１０）表示され、また、現在の表示ページ番号［１］と、ページリンクボタン５０としてのページ番号［２］と［Ｎｅｘｔ］ボタン７０が表示される。なお、現在の表示ページ番号［１］は下線なしの黒字で表示される。
【００２３】
この図３に示した第１ページの表示状態において、ページリンクボタン５０であるページ番号［２］又は［Ｎｅｘｔ］ボタン７０がクリックされると、現在の表示ページ番号が［２］すなわち第２ページの表示状態に移り、図４に示すように、ユーザの登録番号とユーザ名が２件（登録番号１１〜１２）分表示され、また、［Ｐｒｅｖｉｏｕｓ］ボタン６０がページリンクボタン５０としてのページ番号［１］と現在の表示ページ番号［２］とともに表示される。なお、現在の表示ページ番号［２］は下線なしの黒字で表示される。
【００２４】
この図４に示した第２ページの表示状態において、［Ｐｒｅｖｉｏｕｓ］ボタン６０又はページリンクボタン５０であるページ番号［１］がクリックされると、図３に示した現在の表示ページ番号が［１］すなわち第１ページの表示状態に戻る。
【００２５】
さらに、例えば、登録件数が１００件で全ページ数が１０の場合、現在の表示ページ番号が［１］すなわち第１ページの表示状態の場合、図５に示すように、ユーザの登録番号とユーザ名が１０件分（登録番号１〜１０）表示され、また、現在のページ番号［１］、ページリンクボタン５０としてのページ番号［２］［３］［４］［５］［６］［７］［８］［９］［１０］と［Ｎｅｘｔ］ボタン７０が表示される。なお、現在の表示ページ番号［１］は下線なしの黒字で表示される。
【００２６】
この図５に示した第１ページの表示状態において、ページリンクボタン５０であるページ番号［２］［３］［４］［５］［６］［７］［８］［９］［１０］、［Ｎｅｘｔ］ボタン７０の何れかを選択的にクリックすることが可能で、クリックされたボタンに応じたページの表示状態に移ることができ、例えば、ページリンクボタン５０であるページ番号［２］又は［Ｎｅｘｔ］ボタン７０がクリックされると、現在の表示ページ番号が［２］すなわち第２ページの表示状態に移り、図６に示すように、ユーザの登録番号とユーザ名が２件（登録番号１１〜１２）分表示され、また、［Ｐｒｅｖｉｏｕｓ］ボタン６０とページ番号［１］［２］［３］［４］［５］［６］［７］［８］［９］［１０］と［Ｎｅｘｔ］ボタン７０が表示される。なお、現在の表示ページ番号［２］は下線なしの黒字で表示され、ページ番号［１］［３］［４］［５］［６］［７］［８］［９］［１０］がページリンクボタン５０となっている。
【００２７】
この図６に示した第２ページの表示状態において、［Ｐｒｅｖｉｏｕｓ］ボタン６０又はページリンクボタン５０であるページ番号［１］がクリックされると、図５に示した現在の表示ページ番号が［１］すなわち第１ページの表示状態に戻る。
【００２８】
また、ページ番号が１１以上の場合、例えば、登録件数が５１２件で全ページ数が５２の場合、現在の表示ページ番号が［１］すなわち第１ページの表示状態では、図７に示すように、ユーザの登録番号とユーザ名が１０件分（登録番号１〜１０）表示され、また、現在の表示ページ番号［１］、ページリンクボタン５０としてのページ番号［２］［３］［４］［５］［６］［７］［８］［９］［１０］、上記ページリンクボタン５０により選択されるページ範囲（１０ページ分）をジャンプするジャンプボタン９０としてのページ頁番号［１１−］と［Ｎｅｘｔ］ボタン６０が表示される。なお、現在の表示ページ番号［１］は下線なしの黒字で表示される。
【００２９】
この図７に示した第１ページの表示状態では、ページリンクボタン５０であるページ番号［２］［３］［４］［５］［６］［７］［８］［９］［１０］、ジャンプボタン９０であるページ番号［１１−］、［Ｎｅｘｔ］ボタン７０のいずれかを選択的にクリックすることが可能で、クリックされたボタンに応じたページの表示状態に移ることができ、例えば、ジャンプボタン９０であるページ番号［１１−］がクリックされると、現在の表示ページ番号が［１１］すなわち第１１ページの表示状態に移り、図８に示すように、ユーザの登録番号とユーザ名が１０件分（登録番号１０１〜１１０）表示され、また、［Ｐｒｅｖｉｏｕｓ］ボタン６０、ジャンプボタン８０としてのページ番号［−１０］、現在の表示ページ番号［１１］、ページリンクボタン５０としてのページ番号［１２］［１３］［１４］［１５］［１６］［１７］［１８］［１９］［２０］とジャンプボタン９０としてのページ番号［２１−］と［Ｎｅｘｔ］ボタン７０が表示される。なお、現在の表示ページ番号［１１］は下線なしの黒字で表示される。
【００３０】
この図８に示した第１１ページの表示状態では、［Ｐｒｅｖｉｏｕｓ］ボタン６０、ジャンプボタン８０であるページ番号［−１０］、ページリンクボタン５０であるページ番号［１２］［１３］［１４］［１５］［１６］［１７］［１８］［１９］［２０］、ジャンプボタン９０であるページ番号［２１−］、［Ｎｅｘｔ］７０ボタンのいずれかを選択的にクリックすることが可能で、クリックされたボタンに応じたページの表示状態に移ることができ、例えば、［Ｐｒｅｖｉｏｕｓ］ボタン６０又はジャンプボタン８０であるページ番号［−１０］がクリックされると、現在の表示ページ番号が［１０］すなわち第１０ページの表示状態に移り、また、［Ｎｅｘｔ］ボタン７０又はページリンクボタン５０であるページ番号［１２］がクリックされると、現在の表示ページ番号が［１２］すなわち第１２ページの表示状態に移り、図９に示すように、ユーザの登録番号とユーザ名が１０件分（登録番号１１１〜１２０）表示され、また、［Ｐｒｅｖｉｏｕｓ］ボタン６０とジャンプボタン８０としてのページ番号［−１０］、ページリンクボタン５０としてのページ番号［１１］、現在の表示ページ番号［１２］、ページリンクボタン５０としてのページ番号［１３］［１４］［１５］［１６］［１７］［１８］［１９］［２０］、ジャンプボタン９０としてのページ番号［２１−］と［Ｎｅｘｔ］ボタン７０が表示される。なお、現在の表示ページ番号［１２］は下線なしの黒字で表示される。
【００３１】
すなわち、この画像形成装置１０において、上記プロセッサ１１は、上記操作・表示パネル２５の画面に、ページ内で選択されるユーザの登録番号とユーザ名を１ページに１０件まで表示し、また、現在ページ近傍の所定ページ数のページ番号をページリンクボタン５０として表示し、上記操作・表示パネル２５の操作入力によりページ番号がクリックされページリンクボタン５０が選択されると、選択されたページリンクボタン５０のページ番号を新たな表示ページ番号として設定して、上記情報をページ単位で表示する制御を行う。
【００３２】
また、上記プロセッサ１１は、上記操作・表示パネル２５の画面に、現在のページから前後のページを指定する［Ｐｒｅｖｉｏｕｓ］ボタン６０，［Ｎｅｘｔ］ボタン７０を表示し、上記操作・表示パネル２５の操作入力により上記前後のページを指定する［Ｐｒｅｖｉｏｕｓ］ボタン６０又は［Ｎｅｘｔ］ボタン７０が選択されると、現在の表示ページ番号から１ページ戻し又は進めたページ番号を新たな表示ページ番号として設定して、上記情報をページ単位で表示する制御を行う。すなわち、［Ｎｅｘｔ］ボタン７０がクリックされると現在ページを１ページ進め、［Ｐｒｅｖｉｏｕｓ］ボタン６０がクリックされると現在ページを１ページ戻してページ表示を行う。
【００３３】
さらに、上記プロセッサ１１は、上記操作・表示パネル２５の画面に、上記ページリンクボタン５０により選択されるページ範囲（１０ページ分）をジャンプするジャンプボタン８０，９０として、例えば、１０ページジャンプのリンクを示すページ番号［−１０］やページ番号［２１−］などを表示し、上記操作・表示パネル２５の操作入力によりこれらのページ番号がクリックされジャンプボタン８０が選択されると、上記ページ範囲（１０ページ分）をジャンプしたページ番号を新たな表示ページ番号として設定して、上記情報をページ単位で表示する制御を行い、前の１０ページ分又は次の１０ページ分のページ番号をリンク先として表示する状態に移る。
【００３４】
この画像形成装置１０において、上記プロセッサ１１によるユーザ検索のための情報をページ単位で表示して、入力を受け付ける制御は、例えば、図１０及び図１１のフローチャートに示す手順に従って行われる。
【００３５】
すなわち、上記プロセッサ１１は、操作・表示パネル２５の画面上のアドレスブックボタン４０がクリックされることにより、登録されたユーザを検索するためアドレスブックの処理機能が起動されると、ステップＳ１において、現在の表示ページ番号、全ページ数をハードディスク装置１４より入手する。
【００３６】
次のステップＳ２では、上記プロセッサ１１は、前のページがあるか否かを判定する。
【００３７】
そして、上記プロセッサ１１は、上記ステップＳ２における判定結果がＮＯ、すなわち、前のページがなく、［Ｐｒｅｖｉｏｕｓ］ボタンを表示する必要がない場合には、そのまま、ステップＳ４に進み、また、上記ステップＳ２における判定結果がＹＥＳ、すなわち、前のページがあり、すなわち、［Ｐｒｅｖｉｏｕｓ］ボタンを表示する必要がある場合には、次のステップＳ３で［Ｐｒｅｖｉｏｕｓ］ボタンと共に、前ページへのアクセス手段を用意して、操作・表示パネル２５の表示画面上に表示する。
【００３８】
次のステップＳ４では、上記プロセッサ１１は、現在の表示ページ番号、全ページ数、ページ表示項目（ユーザの登録番号とユーザ名）件数(ここでは１０件と仮定する)から、画面下部に表示する最初のページ番号を求める。
【００３９】
次のステップＳ５では、上記プロセッサ１１は、上記ステップＳ４で求めた最初のページ番号が［１０］よりも大きいか否か、すなわち、上記ステップＳ４で求めた最初のページ番号より前のページが存在するか否かを判定する。
【００４０】
そして、上記プロセッサ１１は、このステップＳ５おける判定結果がＮＯ、すなわち、上記ステップＳ４で求めた最初のページ番号が［１０］よりも小さく、上記前のページが存在しない場合には、そのままスッテプＳ７に進み、また、上記ステップＳ５おける判定結果がＹＥＳ、すなわち、上記ステップＳ４で求めた最初のページ番号より前のページが存在する場合には、次のスッテプＳ６で前１０ページ分のジャンプボタンを表示する。ジャンプ先のページ番号は、［１］，［１１］，［２１］，［３１］，…のいずれかとなる。
【００４１】
次のステップＳ７では、上記プロセッサ１１は、現在の表示ページ番号、全ページ数、ページ表示項目件数から最後のページ番号を計算する。
【００４２】
次のステップＳ８では、上記プロセッサ１１は、上記ステップＳ４で求めた最初のページ番号から上記ステップＳ７で求めた最後のページ番号までを、操作・表示パネル２５の画面下部に表示する。
【００４３】
次のステップＳ９では、上記プロセッサ１１は、表示最終ページ番号が最大ページ数よりも小さいか否を判定する。
【００４４】
そして、上記プロセッサ１１は、このステップＳ９における判定結果がＮＯ、すなわち、表示最終ページ番号が最大ページ数よりも大きく、後のページがない場合にはステップＳ１１に進み、また、上記ステップＳ９における判定結果がＹＥＳ、すなわち、表示最終ページ番号が最大ページ数よりも小さく、後のページがあり、後１０ページ分のジャンプボタンを表示する必要がある場合には、次のステップＳ１０で後１０ページ分のジャンプボタンを表示する。リンク先のページ番号は、［１１］，［２１］，［３１］，［４１］，…のいずれかとなる。
【００４５】
次のステップＳ１１では、上記プロセッサ１１は、現在の表示ページ番号、全ページ数から、次のページが存在するかを判定する。
【００４６】
そして、上記プロセッサ１１は、このステップＳ１１における判定結果がＮＯ、すなわち、次のページが存在しない場合にはステップＳ１３に進み、また、上記ステップＳ１１における判定結果がＹＥＳ、すなわち、次のページが存在する場合にはステップＳ１２で［Ｎｅｘｔ］ボタンを表示する。
【００４７】
次のステップ１３では、上記プロセッサ１１は、上記ステップＳ３、Ｓ６、Ｓ８、Ｓ１０、Ｓ１２で表示したボタンが押されるのを待つ。
【００４８】
そして、次のステップ１４では、上記プロセッサ１１は、ボタンの押されたリンク先のページ番号を新たな表示ページ番号として表示ページ番号を更新し、上記ステップＳ１の処理に戻る。
【００４９】
このような構成の画像形成装置１０では、上記プロセッサ１１により、上記操作・表示パネル２５の画面に、ページ内で選択されるユーザの登録番号とユーザ名を１ページに１０件まで表示し、また、現在ページ近傍の所定ページ数のページ番号をページリンクボタン５０として表示し、上記操作・表示パネル２５の操作入力によりページリンクボタン５０が選択されると、選択されたページリンクボタン５０のページ番号を新たな表示ページ番号として設定して、上記情報をページ単位で表示する制御を行うので、面倒なページ番号入力を行わずにページリンクボタン５０のクリックのみで、離れたページへのアクセスが行え、操作性を向上させることができる。
【００５０】
また、上記プロセッサ１１は、上記操作・表示パネル２５の画面に、現在のページから前後のページを指定する［Ｐｒｅｖｉｏｕｓ］ボタン６０、［Ｎｅｘｔ］ボタン７０を表示し、上記操作・表示パネル２５の操作入力により上記前後のページを指定する［Ｐｒｅｖｉｏｕｓ］ボタン６０又は［Ｎｅｘｔ］ボタン７０が選択されると、現在の表示ページ番号から１ページ戻し又は進めたページ番号を新たな表示ページ番号として設定して、上記情報をページ単位で表示する制御を行うので、単純な操作でページ送りを行うことができ、操作性を向上させることができる。
【００５１】
さらに、上記プロセッサ１１は、上記操作・表示パネル２５の画面に、上記ページリンクボタン５０により選択されるページ範囲（１０ページ分）をジャンプするジャンプボタン８０，９０として、例えば、１０ページジャンプのリンクを示すページ番号［−１０］やページ番号［２１−］などを表示し、上記操作・表示パネル２５の操作入力によりこれらのページ番号がクリックされジャンプボタン８０，９０が選択されると、上記ページ範囲（１０ページ分）をジャンプしたページ番号を新たな表示ページ番号として設定して、上記情報をページ単位で表示する制御を行い、前の１０ページ分又は次の１０ページ分のページ番号をリンク先として表示する状態に移るので、単純な操作で離れたページへのアクセスが行え、操作性を向上させることができる。
【図面の簡単な説明】
【００５２】
【図１】本発明を適用した画像形成装置の構成を示すブロック図である。
【図２】上記画像形成装置における操作・表示パネルの表示状態として全ページ数が１の場合の表示例を示す図である。
【図３】全ページ数が２の場合の第１ページの表示例を示す図である。
【図４】全ページ数が２の場合の第２ページの表示例を示す図である。
【図５】全ページ数が１０の場合の第１ページの表示例を示す図である。
【図６】全ページ数が１０の場合の第２ページの表示例を示す図である。
【図７】全ページ数が５２の場合の第１ページの表示例を示す図である。
【図８】全ページ数が５２の場合の第１１ページの表示例を示す図である。
【図９】全ページ数が５２の場合の第１２ページの表示例を示す図である。
【図１０】上記画像形成装置における情報入出力の制御動作を示すフローチャートである。
【図１１】上記画像形成装置における情報入出力の制御動作を示すフローチャートである。
【符号の説明】
【００５３】
１０  画像形成装置
１１  プロセッサ
１２  チップセット
１３  メモリ
１４  ハードディスク装置
１５〜１８  拡張カード
１９  ネットワークインタフェースカード（ＮＩＣ）
２０  通信モデム
２５  操作・表示パネル
２６  搬送装置等
２７  プリントエンジン
２８  スキャンエンジン
３０  外部の通信モデム
３１  公衆回線
４０  アドレスブックボタン
５０  ページリンクボタン
６０  ［Ｐｒｅｖｉｏｕｓ］ボタン
７０  ［Ｎｅｘｔ］ボタン
８０，９０  ジャンプボタン
【図１】
2008009756.tif 000003
【図２】
2008009756.tif 000004
【図３】
2008009756.tif 000005
【図４】
2008009756.tif 000006
【図５】
2008009756.tif 000007
【図６】
2008009756.tif 000008
【図７】
2008009756.tif 000009
【図８】
2008009756.tif 000010
【図９】
2008009756.tif 000011
【図１０】
2008009756.tif 000012
【図１１】
2008009756.tif 000013